(57)【要約】      （修正有）【課題】専門的な知識がない者でも間取りを立体的に把握できる間取り模型を手軽に作成できるような間取り模型作成キットを提供する。【解決手段】間取り模型作成キットとして、所定の建築物の間取りを表した間取り図１１が表示されたシート体からなる間取り図シート１０と、間取りを構成する各部屋ごとに描かれる、部屋の床面を表す図に、床面の各外縁に接合する各壁面を表す図が、互いに繋がる床面の各外縁と壁面の底縁とが接触するように表された展開図が表示されたシート体からなる展開図シートとから構成する。【選択図】図８
2017075978.tif 000002
【特許請求の範囲】
【請求項１】
所定の建築物の間取りを表した間取り図が表示されたシート体からなる間取り図シートと、
前記間取りを構成する各部屋ごとに描かれる、当該部屋の床面を表す図に、前記床面の各外縁に接合する各壁面を表す図が、互いに繋がる床面の各外縁と壁面の底縁とが略接触するように表された展開図が表示されたシート体からなる展開図シートと
からなる間取り模型作成キット。
【請求項２】
請求項１に記載の展開図シートから各部屋ごとに展開図部分のみを取得し、この展開図部分の各壁面の底縁を壁面が内側になるように折り返して箱状体を形成し、当該箱状体を請求項１に記載の前記間取り図シートに表された間取りの対応する各部屋の上に載置した
間取り模型。
【請求項３】
所定の建築物の間取りを表した間取り図が表示されたシート体からなる間取り図シートと、
前記間取りを構成する各部屋ごと描かれる、当該部屋の床面を表す図に、前記床面の各外縁に接合する各壁面を表す図が、互いに繋がる床面の各外縁と壁面の底縁とが略接触するように表された展開図が表示されたシート体からなる展開図シートと
からなる間取り図表示シート。
【発明の詳細な説明】
【技術分野】
【０００１】
本発明は、間取りの理解を補助するための間取り模型を作成するためのキットに関する。
【背景技術】
【０００２】
従来、部屋の間取りを表す方法として、間取りを真上から見た間取り図と、間取りを構成する部屋の壁面を1面ずつ表した展開図とで表すことが行われてきた。この場合、例えば、部屋数が４部屋あると壁面は各部屋に４面あるので１６枚の展開図が必要となる。１６枚の展開図は一枚のシートにマトリックス状に並んで配置され、どの壁面がどの部屋のどの方向に位置するかは記号を付すことで対応関係がわかるようにされる。このような間取りの表し方は、専門家であれば図面を見ることで実際の間取りがどのようになるか立体的に把握することができる。
また、間取りがどのようなものかを立体的に把握させることに役立つものとして建築模型が用いられることもある。建築模型は建築の各階層ごとに間取りが模型で形成されるので視覚的に間取りがどのようなものかを立体的に把握することができる。
【発明の概要】
【発明が解決しようとする課題】
【０００３】
ところで、従来の間取り図と展開図とで間取りを表す場合、建築物の施主は専門的な知識がないため、図面だけを見ても間取りを立体的に把握することが難しい。このため、工務店等と施主との間に齟齬が生じ、建築後にはじめて施主が思っていた間取りと違うことに気が付いたり、家具などが入らないことがわかったりすることが少なからず生じる。
これに対して、建築模型を作成すると建築物の施主も視覚的に間取りを立体的に把握できるので上記のような問題は生じないが、建築模型の作成には費用と時間がかかり、間取り変更などによっても容易に作り変えることができないという問題がある。
本発明は、このような問題に鑑みて、専門的な知識がない者でも間取りを立体的に把握できる間取り模型を手軽に作成できるようにすることを課題とする。
【課題を解決するための手段】
【０００４】
上記課題を解決するために、本発明は次のような構成を有する。
請求項１に記載の発明は、所定の建築物の間取りを表した間取り図が表示されたシート体からなる間取り図シートと、前記間取りを構成する各部屋ごとに描かれる、当該部屋の床面を表す図に、前記床面の各外縁に接合する各壁面を表す図が、互いに繋がる床面の各外縁と壁面の底縁とが接触するように表された展開図が表示されたシート体からなる展開図シートとからなる間取り模型作成キットである。なお、一つの部屋の展開図を一枚の展開図シートに表してもよく、２以上の部屋の展開図を一枚の展開図シートに表してもよい。さらに、間取り図シートと展開図シートは同一のシート上に形成してもよい。
請求項２に記載の発明は、請求項１に記載の展開図シートから各部屋ごとに展開図部分のみを取得し、この展開図部分の各壁面の底縁を壁面が内側になるように折り返して箱状体を形成し、当該箱状体を請求項１に記載の前記間取り図シート上に表された間取りの対応する各部屋の上に載置した
間取り模型である。
請求項３に記載の発明は、所定の建築物の間取りを表した間取り図が表示されたシート体からなる間取り図シートと、前記間取りを構成する各部屋ごと描かれる、当該部屋の床面を表す図に、前記床面の各外縁に接合する各壁面を表す図が、互いに繋がる床面の各外縁と壁面の底縁とが接触するように表された展開図が表示されたシート体からなる展開図シートとからなる間取り図表示シートである。なお、一つの部屋の展開図を一枚の展開図シートに表してもよく、２以上の部屋の展開図を一枚の展開図シートに表してもよい。さらに、間取り図シートと展開図シートは同一のシート上に形成してもよい。
【発明の効果】
【０００５】
以上のような構成により本発明は、次のような効果を奏する。
請求項１に記載の発明は、展開図シートの各展開図周りに余白のシート体がある場合は、余白のシート体を切り取って展開図部分のみとする等して、展開図部分のみを取得し、この展開図部分の各壁面の底縁を壁面が内側になるように折り返して箱状体を形成し、この箱状体を間取り図シートに表された対応する各間取りの対応する各部屋の上に載置することで簡単に間取り模型を形成することができる。間取り図模型はこのように作成できる一方で、展開図シート及び間取り図シートはプリントするだけで作成できるので、間取り変更などの修正に簡単かつ迅速に対応でき、間取り模型を容易に作り直すことが可能である。また、展開図が各部屋ごとに床と壁の位置関係が視覚的に理解できるように描かれるので、従来の展開図と間取り図との組み合わせに比較して容易に、間取り図シートと展開図シートから直接間取り図を立体的に認識することもできる。
請求項２に記載の発明は、簡易に間取り図模型を作成することができるとともに、容易に作り直すことができる。
請求項３に記載の発明は、展開図が各部屋ごとに床と壁の位置関係が視覚的に理解できるように描かれるので、従来の展開図と間取り図との組み合わせに比較して容易に、間取り図シートと展開図シートから直接間取り図を立体的に認識することもできる。
【図面の簡単な説明】
【０００６】
【図１】実施形態に係る間取り図シートを示す図である。
【図２】実施形態に係る第一の展開図シートを示す図である。
【図３】実施形態に係る第二の展開図シートを示す図である。
【図４】実施形態に係る第三の展開図シートを示す図である。
【図５】実施形態に係る第四の展開図シートを示す図である。
【図６】実施形態に係る第五の展開図シートを示す図である。
【図７】（ａ）は一の展開図を外縁で切り取った状態を示す図であり、（ｂ）は（ａ）の状態から箱状に組み立てた状態を示す図である。
【図８】間取り図シートに、箱状に組み立てた展開図を載置する状態を示す分解図である。
【図９】実施形態に係る間取り模型を示す図である。
【発明を実施するための形態】
【０００７】
図１に実施形態に係る間取り図シート１０を示す。間取り図シート１０は、紙からなるシート体上に間取り図１１がプリントされたものである。間取り図１１は、一般的な間取り図で足りるが、間取りが上方から見た平面として描かれていれば表記方法は問わない。
【０００８】
図２に実施形態に係る第一の展開図シート２０を示す。展開図シート２０には、間取り図１１に含まれる部屋を任意に設定し、各部屋ごとの床面を表す図と当該床面を囲む床面の各外縁に接合する各壁面を表す図とが、互いに繋がる床面の各外縁と壁面の底縁とが接触するように表された展開図が紙のシートにプリントされたものであり、図２に示す第一の展開図シート２０には、和室の展開図２１、玄関の展開図２２がプリントされている。
以下同様に、図３に示す第二の展開図シート３０には、小ベッドルーム１の展開図３１、小ベッドルーム２の展開図３２がプリントされている。図４に示す第三の展開図シート４０には、大ベッドルームの展開図４１、バストイレルームの展開図４２がプリントされている。なお、バストイレルームは  バスルーム、トイレ、脱衣場、洗面場の４つの部屋で構成されているものと見ることができるが、部屋の設定は任意なので、ここではこれらをまとめたものを部屋としている。従って、バストイレルームの展開図４２に替えて、４つの部屋の展開図を用意することも可能である。図５に示す第四の展開図シート５０には、リビングダイニングルームの展開図５１がプリントされている。図６に示す第五の展開図シート６０には、中庭の展開図６１がプリントされている。
【０００９】
図１に示す間取り図シート１０及び図２乃至図６に示す展開図シート２０乃至６０は、展開図シートに表される展開図により、各部屋ごとの壁面の状態が容易に把握でき、各部屋の配置は間取り図図シート１０によって把握できるので、これらを見ることで間取りを比較的容易に立体的に把握することができる。
さらに、間取り図シート１０及び展開図シート２０乃至６０は、間取り模型を作成するキットにもなる。以下に、間取り図シート１０及び展開図シート２０乃至６０を用いた間取り模型の作成方法について説明する。
作成者は展開図シート２０乃至６０から展開図の外縁を切り取り展開図部分のみとする。図７（ａ）に大ベッドルームの展開図４１を切り取った状態を示す斜視図を示す。切り取った各展開図部分は、床面と壁面との接合部分で壁面が内側になるように折り、箱状とする。なお、図７（ａ）に示す展開図４１のように一面に存在する壁面に段差があるような場合は、段差がある壁面ごとに折り曲げるようにし、このため互いに段差のある壁面同士の間にも切れ込みを入れておく。図７（ｂ）に展開図４１の壁面部分を折り曲げて箱状とした状態を示す。なお、箱状に形成した際、形状を安定させるために粘着テープなどで固定することが望ましい。各展開図部分を箱状に形成したら、図８に示すように作成した箱状体を床面を表す同一の図同士が重なるように間取り図シート１０上に載置する。すべての展開図部分から形成された箱状体を載置すると図９のようになり、間取り模型Ｍが完成する。
間取り模型Ｍでは各部屋ごとに壁面がどのようになるかが示されるので、間取りがどのようなものか一見して立体的に理解することが可能となる。そして、ＣＡＤなどで作成した画像データを、間取り図シート、展開図シートを印刷して、切り取り組み立てるだけなので極めて簡単に作成できる。このため、従来の建築模型では、費用と手間の関係から一つの模型のみを作成することしかできなかったが、本実施形態では、間取りを大きく修正しても、新たな間取り模型を簡単に作り直すことができるので、手軽に複数の間取り模型を作って比較検討することが可能となる。
【００１０】
なお、壁面の形状によっては、展開図において床面の縁部に接触するように表せない場合があり得る。この場合、ラフなイメージで足りるならばその部分は省略してもよいし、隣接する壁面の側縁に表せる場合は、この側縁に連なるように形成してもよいし、箱状に形成する際に当該壁面のみを別途追加するようにしてもよい。
また、展開図シートの裏面の各壁面に重なる部分に当該壁面の裏面を表す図をプリントするようにしてもよく、箱状に形成する際に当該裏目の壁面を別途追加して貼りつけるようにしてもよい。
さらに、上記実施形態では展開図シート２０乃至６０は展開図部分の周りに余白部分があるが、予め展開図部分のみとして形成することもできる。
【符号の説明】
【００１１】
Ｍ  間取り模型
１０  間取り図シート
１１  間取り図
２０〜６０  展開図シート
２１、２２、３１、３２、４１、４２、５１、６１  展開図
【図１】
2017075978.tif 000003
【図２】
2017075978.tif 000004
【図３】
2017075978.tif 000005
【図４】
2017075978.tif 000006
【図５】
2017075978.tif 000007
【図６】
2017075978.tif 000008
【図７】
2017075978.tif 000009
【図８】
2017075978.tif 000010
【図９】
2017075978.tif 000011